(57)【特許請求の範囲】
【請求項１】
便器後方に設置固定される取付ベースと、該取付ベースに設置する人体局部洗浄装置本体と、該人体局部洗浄装置本体を前記取付ベースに対して水平方向に移動させるスライダとを備えた人体局部洗浄装置において、前記スライダが弾性を有する合成樹脂により成形されるストッパを有し、該ストッパはその一端を前記スライダに固定し、他端を固定することなく、且つ、前記スライダに設けた孔に前記ストッパの他端に形成した突起部を臨ませ、前記突起部を前記孔内に挿入させるとともに、前記取付ベースに、前記ストッパが当接する係止部を設け、人体局部洗浄装置本体を便器手前方向に移動させた際に、前記ストッパが該係止部に当接し、ストッパが弾性変形するものの、ストッパの他端の弾性変形移動を前記スライダに設けた孔が阻止することを特徴とする人体局部洗浄装置。
【請求項２】
ストッパが全体ではＵ字形状とされ、固定されていない他端同士が互いに向かい合うように設けられ、前記ストッパの他端が、互いに向かい合う方向に前記ストッパを弾性変形させることによりスライダに設けた孔内を移動すると、ストッパと係止部とが当接することなく、スライダと取付ベースとを分離可能となることを特徴とする請求項１に記載の人体局部洗浄装置。
【請求項３】
取付ベースが、スライダを水平方向に移動させる２本のガイド用突条を有し、該ガイド用突条は互いに向き合い平行に設置した突条であり、且つ、その一部が延設されて前記２本のガイド用突条間の距離を縮めストッパに当接する係止部となることを特徴とする請求項１又は２に記載の人体局部洗浄装置。
【発明の詳細な説明】
【０００１】
【発明の属する技術分野】
本発明は、人体局部を温水にて洗浄する人体局部洗浄装置、特に人体局部洗浄装置本体と便器との固定構造に関する。
【０００２】
【従来の技術】
従来、人体局部洗浄装置本体を便器に設置するには、固定ボルトとナット又はねじを使用することが一般的に行われてきたが、近年になり、環境衛生に対する関心が高まってくると、人体局部洗浄装置本体と便器との間に侵入した汚水等の清掃を行いたいとのニーズが生まれ、人体局部洗浄装置本体を、便器に固定された状態から移動可能であり、且つ、前述した汚水等を清掃することが可能な人体局部洗浄装置（以後移動可能な人体局部洗浄装置という）が開発された。
【０００３】
移動可能な人体局部洗浄装置について、図７を用いて説明すると、先ず便器２６の上面に、取付ベース１６を２本の固定ボルト２７、２８及びナット１４、１５により固定し、次に人体局部洗浄装置本体２５を、前記取付ベース１６を介して便器２６に接続固定する。
【０００４】
より詳細に述べると、前記取付ベース１６は、その両側端部に下向きに突出した壁１６ａ、１６ｂが設けられており、取付ベース１６全体としては下向きのコ字状となる形状をしている。取付ベース１６の壁１６ａ、１６ｂには、図７をＢ方向から見た要部拡大図である図８及び図７をＣ方向から見た要部拡大図である図９に示すように、上下方向の長孔１６ｃ、１６ｄ、１６ｅ、１６ｆが設けられ、該長孔１６ｃ、１６ｄ、１６ｅ、１６ｆにピン１９、２０、２１、２２を通すことにより、人体局部洗浄装置本体２５（図７参照）に設けた壁２５ａ、２５ｂを接続している。
【０００５】
図７に示すように、人体局部洗浄装置本体２５と取付ベース１６とは、前述したピン１９、２０、２１、２２（図８及び図９参照）により接続しているので、ピン１９、２０、２１、２２が取付ベース１６に設けた長孔１６ｃ、１６ｄ、１６ｅ、１６ｆ（図８及び図９参照）内を移動することにより、結果として人体局部洗浄装置本体２５を図面に示すように便器２６から離し、上方へ移動させることができ、便器２６と人体局部洗浄装置本体２５との間の汚水等を清掃することができる。
【０００６】
また、取付ベース１６には、図７に示すように、人体局部洗浄装置本体２５が取付ベース１６から脱落することを防止する為のカバー２３、２４が設けられ、更に、図８及び図９に示すように、人体局部洗浄装置本体２５を下方又は上方で静止固定する為の、係合孔２９、３０、３１、３２を設けている。該係合孔２９、３０、３１、３２には、人体局部洗浄装置本体２５の壁２５ａ、２５ｂに設けたロックレバー１７、１８が嵌合し、使用者は、ロックレバー１７、１８を解除又は嵌合させることにより、人体局部洗浄装置本体２５を上下動させ、固定する。
【０００７】
【発明が解決しようとする課題】
しかしながら、図７に示す移動可能な人体局部洗浄装置は、取付ベース１６と人体局部洗浄装置本体２５とが不用意に分離しないように、ピン１９、２０、２１、２２（図８及び図９参照）を長孔１６ｃ、１６ｄ、１６ｅ、１６ｆ（図８及び図９参照）内に留めるカバー２３、２４を必要とし、人体局部洗浄装置の部品点数を増やしてしまうとの課題を有している。そもそも前記カバー２３、２４は、取付ベース１６を成形する際に、アンダーカットとなる部分を設けないように長孔１６ｃ、１６ｄ、１６ｅ、１６ｆ（図８及び図９参照）を壁１６ａ、１６ｂばかりでなく、取付ベース１６の上面にまで延長して設けた為に、ピン１９、２０、２１、２２（図８及び図９参照）が抜けてしまわないよう設置している。更に、人体局部洗浄装置の点検及び修理を行う際には、前記カバー２３、２４を取り外す必要があり、作業時間を長期化させるとの課題もある。
【０００８】
また、ピン１９、２０、２１、２２（図８及び図９参照）の材質としては、一般に合成樹脂製の成形品を使用するが、強度不足となる恐れがあり、強度を確保しようとしてピン１９、２０、２１、２２（図８及び図９参照）の太さを太くすると、取付ベース１６の強度が不足してしまう。金属製のピンの使用は、強度及びピン太さの問題を共に解決できる優れた手段ではあるが、使用する場所がら防錆対策を施すことが必要であり、例えばステンレス等を使用すると、製品自体の製造費用を大きく押し上げてしまうとの別の課題が発生してしまう。
【０００９】
本発明は、前述した課題に鑑みてなされたものであり、部品点数が少なく、人体局部洗浄装置の点検及び修理も容易であり、合成樹脂製の成形品を使用しても十分な強度を有するスライド移動可能な人体局部洗浄装置を提供することを目的とする。
【００１０】
【課題を解決するための手段】
本発明の請求項１は、図４に示すように、便器１０後方に設置固定される取付ベース２と、該取付ベース２に設置する人体局部洗浄装置本体１と、該人体局部洗浄装置本体１を前記取付ベース２に対して水平方向に移動させるスライダ３とを備えた人体局部洗浄装置において、前記スライダ３が弾性を有する合成樹脂により成形されるストッパ６、７を有し、該ストッパ６、７はその一端を前記スライダ３に固定し、他端を固定することなく、且つ、前記スライダ３に設けた孔３ｅ、３ｆに前記ストッパ６、７の他端に形成した突起部６ａ、７ａを臨ませ、前記突起部６ａ、７ａを前記孔３ｅ、３ｆ内に挿入させるとともに、前記取付ベース２に、前記ストッパ６、７が当接する係止部２ｇ、２ｈを設け、人体局部洗浄装置本体１を便器１０手前方向に移動させた際に、前記ストッパ６、７が該係止部２ｇ、２ｈに当接し、ストッパ６、７が弾性変形するものの、ストッパ６、７の他端の弾性変形移動を前記スライダ３に設けた孔３ｅ、３ｆが阻止することを特徴とする。
【００１１】
本発明の請求項２は、ストッパ６、７が全体ではＵ字形状とされ、固定されていない他端同士が互いに向かい合うように設けられ、前記ストッパ６、７の他端が、互いに向かい合う方向に前記ストッパ６、７を弾性変形させることによりスライダ３に設けた孔３ｅ、３ｆ内を移動すると、ストッパ６、７と係止部２ｇ、２ｈとが当接することなく、スライダ３と取付ベース２とを分離可能となることを特徴とする。
【００１２】
本発明の請求項３は、取付ベース２が、スライダ３を水平方向に移動させる２本のガイド用突条２ｃ、２ｄを有し、該ガイド用突条２ｃ、２ｄは互いに向き合い平行に設置した突条であり、且つ、その一部が延設されて前記２本のガイド用突条２ｃ、２ｄ間の距離を縮めストッパ６、７に当接する係止部２ｇ、２ｈとなることを特徴とする。
【００１３】
【発明の実施の形態】
本発明に用いるストッパ６、７は、弾性を有する合成樹脂で成形されるものであれば、特に限定されるものではないが、安価なポリプロピレン又はポリアセタールを使用することが好ましく、中でもポリプロピレン製のものは、耐洗剤性、耐薬品性に優れ好ましい。また、ストッパ６、７の形状は、特に限定されるものではないが、図１に示すように、Ｕ字形状をしたものが、後述するスライダ３の取り外しを行ないやすく好ましい。
【００１４】
本発明は、図４に示すように、取付ベース２と人体局部洗浄装置本体１とをスライダ３により連結し、取付ベース２とスライダ３及びスライダ３と人体局部洗浄装置本体１を各々水平方向にスライド自在としている。前記取付ベース２とスライダ３との連結の解除は、図１に示すスライダ３に設けた孔３ｆ（３ｅ）に臨ませたストッパ７（６）の突起部７ａ（６ａ）をＵ字を狭めるように（互いに向かい合う突起部の方向に）移動させることにより行われる。即ち、図５に示す、取付ベース２に設けた係止部２ｇ、２ｈに、本来であれば突起部７ａ（６ａ）が当接するところを、突起部７ａ（６ａ）を移動させたことによりストッパ６、７が当接せず、スライダ３は取付ベース２から容易に取り外すことが可能となる。図１に示す突起部７ａ（６ａ）の孔３ｆ（３ｅ）上面からの突出長さは、任意に設定することが可能であるが、１ｍｍ〜３ｍｍにすることにより使用者の指で簡単に移動させることが可能となる。これは突出長さが、１ｍｍ未満の場合には、指により移動させることが困難であり、３ｍｍよりも長くなると、突起部７ａ（６ａ）が人体局部洗浄装置本体１のスライドを接触することにより妨げることがある為である。
【００１５】
ストッパ６、７とスライダ３との固定方法は、熱溶着、超音波溶着、接着、圧入等を適宜使用することが可能であるが、コスト及び接着性を考えると、熱溶着とすることが好ましい。また、ストッパ６、７のスライダ３と接する（固定する）部分の形状は、ストッパ６、７自体の回転を防止する為に、非円形とすることが好ましく、断面を四角形、Ｄ字形（図１参照）、小判形等から適宜選択することができる。
【００１６】
取付ベース２に用いる係止部２ｇ、２ｈは、図６に示すように、ガイド用突条２ｃ、２ｄの一部を延設したものであり、好ましくはガイド用突条２ｃ、２ｄ全体長さの１／４〜１／２程度迄の部分に設けることが好ましい。これは、１／４よりも短い部分に設けるとスライド時の強度が不足しやすくなり、１／２よりも長い部分に設けるとスライドする長さが短くなり、清掃作業をしにくくする為である。また、ガイド用突条２ｃ、２ｄは、互いに向き合う傾斜を有するものであっても、傾斜のない垂直方向に突設したものであっても良いが、係止部２ｇ、２ｈはガイド用突条２ｃ、２ｄ間の距離よりも係止部２ｇ、２ｈ間の距離が縮まる必要があり、互いに向き合う傾斜を有するようにすることが好ましい。
【００１７】
【実施例】
以下図面を用いて、本発明の実施例を説明する。取付ベース２は、図４に示すように、左右に固定ボルト８、９を挿通する長孔２ｅ、２ｆを有し、設置者は、人体局部洗浄装置本体１の設置状態を考え、前記長孔２ｅ、２ｆの適当な場所に固定ボルト８、９を挿通し、図３に示すように、ナット１２、１３により取付ベース２を便器１０に固定する。
【００１８】
取付ベース２には、前述した長孔２ｅ、２ｆ以外にも図４に示すように、便器１０の前後方向に略平行な２本のガイド用突条２ｃ、２ｄが長孔２ｅ、２ｆの内側に、突起部２ａ、２ｂが長孔２ｅ、２ｆの外側に設けられている。前記ガイド用突条２ｃ、２ｄは、図３に示すように、スライダ３に設けた係合部３ｇ、３ｈに当接し、取付ベース２とスライダ３とを便器１０の前後方向にスライド自在に移動するガイドとなっている。また、ガイド用突条２ｃ、２ｄには、図６に示すように、ガイド用突条２ｃ、２ｄ全体長さの１／３迄の部分に係止部２ｇ、２ｈを設けている。
【００１９】
前記突起部２ａ、２ｂは、図４に示す人体局部洗浄装置本体１の裏面に設けた係合部５ａ、５ｂに係合し、人体局部洗浄装置本体１のスライド移動を規制している。即ち、前記係合部５ａ、５ｂは、ロックバー５に固定され、該ロックバー５は、スプリング１１により常に左方向へと付勢されている為に、図２に示すように、突起部２ａ、２ｂと係合部５ａ、５ｂとが係合状態にある時は、人体局部洗浄装置本体１がスライドすることなく、使用者は安心して用便を済ませることができる。使用者が、人体局部洗浄装置本体１と便器１０との間に侵入した汚水等を清掃する場合には、解除レバー４の操作部である他端４ａを便器１０の手前方向に回転移動させることにより、軸１ｃを支点として解除レバー４が回動し、片端４ｂ及び係合部５ａを介してロックバー５を右方向に移動させ、突起部２ａ、２ｂと係合部５ａ、５ｂとの係合を解除させる。この状態においては、人体局部洗浄装置本体１が自由にスライド可能な状態であるので、人体局部洗浄装置本体１を便器手前方向にスライド移動させて、人体局部洗浄装置本体１と便器１０との間に侵入した汚水等を清掃することができる。尚、人体局部洗浄装置本体１は、図３に示すように、裏面に設けた係入溝１ｆ、１ｇにより、スライダ３に設けた突条ガイド部３ｃ、３ｄに沿ってスライドする。
【００２０】
人体局部洗浄装置本体１は、図４に示す解除レバー４を操作することによりスライドさせることが可能となるが、通常は、スライドさせるだけで、完全に分離させる必要はない。そこで、図５に示すように、スライダ３が、取付ベース２から脱落しないよに、スライダ３にはストッパ６、７を、取付ベース２には前記ストッパ６、７に、スライダ３をスライドさせることにより当接する係止部２ｇ、２ｈを設けている。
【００２１】
前記ストッパ６、７は、図１に示すように、全体ではＵ字形状をしているポリプロピレン製の部材であり、その一端をスライダ３の裏面に熱溶着により固定してある。他端は、突起部７ａ（６ａ）を設け、スライダ３に設けた孔３ｆ（３ｅ）に臨ませてあり、該孔３ｆ（３ｅ）上面からの突出長さが２ｍｍとなるようにしてある。このようにすると、図５に示すように、スライダ３は、スライド（即ち人体局部洗浄装置本体をスライド）させることにより、ストッパ６、７と係止部２ｇ、２ｈが当接し、ストッパ６、７が弾性変形するものの、ストッパ６、７の突起部６ａ、７ａの弾性変形移動を孔３ｅ、３ｆが阻止する為に脱落することはない。また、人体局部洗浄装置の点検及び修理の為に、取付ベース２とスライダ３とを分離させるには、指により前記突起部６ａ、７ａをＵ字を狭めるように移動させることにより、簡単に分離可能となる。
【００２２】
スライダ３と人体局部洗浄装置本体１とは、図４に示すように、スライダ３の突条ガイド部３ｃ、３ｄに設けた突起部３ａ、３ｂ（図５参照）と、人体局部洗浄装置本体１の裏面に設けた弾性ツメ１ａ、１ｂとを当接させることで脱落を防止している。必要があって分離させる際には、前記弾性ツメ１ａ、１ｂを弾性変形させることにより、突起部３ａ、３ｂと弾性ツメ１ａ、１ｂとの当接状態を解除し、簡単に分離できる。尚、本実施例では、弾性ツメ１ａ、１ｂを使用しているが、ここに前述したストッパ６、７を用いることも可能である。
【００２３】
【発明の効果】
本発明は、以上説明したように、ストッパをスライダに設け、前記スライダに設けた孔に前記ストッパの他端に形成した突起部を臨ませ、前記突起部を前記孔内に挿入させる構成なので、スライダを水平方向に移動させることにより、スライダの脱落を防止するので、ストッパの材質を合成樹脂成形品としても十分な強度を有し、安価に製造できると共に、点検及び修理の為に人体局部洗浄装置本体を取り外す作業も、カバー等を取り外す作業がなく、短時間に行うことが可能となる。また、従来使用していたカバー及びピンの使用を必要としないため、部品点数を減らすことも可能となる。
【図面の簡単な説明】
【図１】本発明の要部であるストッパ部分を示す拡大斜視図。
【図２】本発明の実施例である人体局部洗浄装置の一部透視平面図。
【図３】本発明の人体局部洗浄装置の要部縦断面図。
【図４】図２に示す人体局部洗浄装置本体をスライドさせた一部透視平面図。
【図５】本発明の取付ベースとスライダの接続を示す要部平面図。
【図６】本発明の取付ベースを示す斜視図。
【図７】従来例を示す人体局部洗浄装置の後方側面図。
【図８】図７に示す人体局部洗浄装置のＢ方向から見た要部拡大図である。
【図９】図７に示す人体局部洗浄装置のＣ方向から見た要部拡大図である。
【符号の説明】
１．人体局部洗浄装置本体  １ａ．弾性ツメ  １ｂ．弾性ツメ  １ｃ．軸  １ｄ．係入溝  １ｅ．係入溝  １ｆ．係入溝  １ｇ．係入溝  ２．取付ベース  ２ａ．突起部  ２ｂ．突起部  ２ｃ．ガイド用突条  ２ｄ．ガイド用突条  ２ｅ．長孔  ２ｆ．長孔  ２ｇ．係止部  ２ｈ．係止部  ３．スライダ  ３ａ．突起部  ３ｂ．突起部  ３ｃ．突起ガイド部  ３ｄ．突条ガイド部  ３ｅ．孔  ３ｆ．孔３ｇ．係合部  ３ｈ．係合部  ４．解除レバー  ４ａ．他端  ４ｂ．片端  ５．ロックバー  ５ａ．係合部  ５ｂ．係合部  ６．ストッパ  ６ａ．突起部  ７．ストッパ  ７ａ．突起部  ８．固定ボルト  ９．固定ボルト  １０．便器  １１．スプリング  １２．ナット  １３．ナット  １４．ナット  １５．ナット  １６．取付ベース  １６ａ．壁  １６ｂ．壁  １６ｃ．長孔  １６ｄ．長孔  １６ｅ．長孔  １６ｆ．長孔  １７．ロックレバー  １８．ロックレバー  １９．ピン  ２０．ピン  ２１．ピン  ２２．ピン  ２３．カバー  ２４．カバー  ２５．人体局部洗浄装置本体  ２５ａ．壁  ２５ｂ．壁  ２６．便器  ２７．固定ボルト  ２８．固定ボルト  ２９．係合孔  ３０．係合孔  ３１．係合孔  ３２．係合孔
【図１】
0004212683.tif 000002
【図２】
0004212683.tif 000003
【図３】
0004212683.tif 000004
【図４】
0004212683.tif 000005
【図５】
0004212683.tif 000006
【図６】
0004212683.tif 000007
【図７】
0004212683.tif 000008
【図８】
0004212683.tif 000009
【図９】
0004212683.tif 000010